【事件の表示】
　平成１１年特許願第１７１６６６号「採血作業準備システム」拒絶査定不服審判事件〔平成１３年１月９日出願公開、特開２００１−４２３〕について、次のとおり審決する。
【結　論】
　本件審判の請求は、成り立たない。
【理　由】
１　手続の経緯・本願発明
 　本願は、平成１１年６月１７日の出願であって、その請求項１ないし１０に係る発明は、平成２１年８月１７日付けの手続補正書により補正された特許請求の範囲の請求項１ないし１０に記載された事項により特定されるとおりのものと認められ、その請求項１に係る発明は次のとおりのものである。
 「【請求項１】
　個々の採血患者に関する情報を印字したラベルを貼り付けた採血管を患者毎に収容した採血前トレイを移送する移送手段と、
　移送手段の移送経路中に設けられた少なくとも一つの採血場と、
　各採血場に設けられ、個々の採血患者に関する情報を少なくとも採血作業者に表示する表示装置と、
　各採血場に設けられ、採血前トレイを呼び出す呼出スイッチと、
　前記呼出スイッチの操作に応じて、前記移送手段に採血前トレイの移送を開始させると共に、その採血前トレイに対応する患者に関する情報を、呼出スイッチが押された採血場に設けられた前記表示装置に送信して、該表示装置に前記患者に関する情報を表示させる制御装置と
　を有することを特徴とする採血作業準備システム。」（以下、「本願発明」という。）
　
２　引用刊行物とその記載事項
　原査定の拒絶の理由に引用された、本願出願前に頒布された刊行物である、刊行物１（原査定の引用文献１）、刊行物２（原査定の引用文献３）、刊行物３（原査定の引用文献２）及び刊行物４（原査定の引用文献５）には以下の事項がそれぞれ記載されている。
　
（１）刊行物１：特開平１０−３２８１６９号公報
（１ａ）「【特許請求の範囲】
【請求項１】 
被験者に関する情報を印字したラベルを添付した採血管
トレイを移送する移送手段
前記移送手段が、その移送経路の途中に、
少なくとも一つの
トレイ受取台
前記移送経路から前記トレイ受取台にトレイを取り出す
トレイ取出手段
前記トレイ受取台に対応した前記
トレイ取出手段を作動させる作動スイッチ
採血作業者が前記作動スイッチを操作した時のみ、対応するトレイ受取台のトレイ取出手段が作動して、移送経路からトレイ受取台にトレイを取り出すように構成した
・・・
【請求項５】  前記移送手段が、その移送経路上にトレイ受取台に対応する採血作業台を備えていることを特徴とする請求項１〜４の何れか一項に記載の採血管搬送システム。
【請求項６】  前記トレイが、前記採血管に対応する被験者に関する採血順番を印字した
指示書を収容
（１ｂ）「【０００６】前記採血管自動準備システムＡは、並設された
複数台の自動ラベル貼付装置２
一つの指示書発行装置３、及びこれら各装置２及び３を作動させるための制御装置４（本実施例の場合はパソコン）
制御装置４の指示に従って被験者の個人情報や検査に必要な情報をラベルに印字
指示書発行装置３は、前記制御装置４の指示に従って、指示書に被験者に対する検査情報に加えて、被験者の採血順番をバーコードと数字とで印字
医師等がパソコンで被験者、被験者に必要な検査情報、及び被験者の採血順番を入力する
自動ラベル貼付装置２が作動
指示書発行装置３で
採血指示書を排出
（１ｃ）「【０００９】・・・採血トレイ準備装置１０及び採血台２０が、操作スイッチ４０によって上記したように作動することで、採血作業者が操作スイッチ４０を操作した時のみ、対応する受取台２７まで採血トレイ７が移送されるようになる。尚、下流側に設けられた採血台２０ｂの供給コンベア２４ｂは上流側の採血台２０ａの操作スイッチ４０ａによっては作動しないが、上流側に設けられた採血台２０ａの供給コンベア２４ａは下流側の採血台２０ｂの操作スイッチ４０ｂの操作に応じて作動するように
制御される
（１ｄ）「【００１２】次に、上記したように構成された採血システムの全体の作用について簡単に説明する・・・被験者は、医師又は看護婦等により採血の受付を済ませ、そこで自分の採血順番を確認した後、待機所で待機する。
医師又は看護婦等は受付が済んだ被験者の検査情報、個人情報及び採血順番に関する情報を採血管自動準備システムＡのパソコン４を使用して入力する
検査に必要な採血管に検査情報及び個人情報等を印字したラベルを貼り付けて空トレイ６に排出
検査情報及び個人情報に加えて採血順番をバーコード及び数字で印字した採血指示書を前記採血管と同じ空トレイ６に発行
　
（２）刊行物２：特開平８−２６６５２１号公報
（２ａ）「【請求項１】  ホストコンピュータ側で、被採血者の情報を収録し、上記情報をラベラーに与えて、ラベルに必要情報の書き込みを行うと共に、上記ラベルを採血管に貼着した後、採血場所に搬送する採血管搬送システムにおいて、ラベル貼着後の採血管を順次搬送する採血管用搬送手段と、上記搬送手段の搬送終端に接続されて間欠駆動されるパレット用搬送手段と、このパレット用搬送手段の始端側に配置された空パレット供給手段と、上記パレット用搬送手段の始端で採血管を受け入れたパレットを複数の採血台に分配するために上記パレット用搬送手段に装備されたパレット分配手段と、同一被採血者の情報に基づいて上記パレット用搬送手段の始端での空パレットへの採血管の受入数に対応した待機時間で上記パレット用搬送手段を制御するため、および、各採血台での採血の進行状態に基づいてパレット分配手段の分配動作を制御するための制御手段とを具備する採血管搬送システム。」
（２ｂ）「【０００８】
【実施例】以下、本発明の採血管搬送システムを、図面を参照しながら、具体的に説明する。ここでは、事前の準備システムとして、ホストコンピュータ１側で、被採血者の情報を収録し、上記情報をラベラー２に与えて、検査項目に対応した所要枚数のラベルに、必要情報の書き込みを行うと共に、上記ラベルを自動貼着手段（図示せず）で採血管に貼着する。一方、ラベル貼着後の採血管を用いて被採血者から採血する際、採血場所３には、採血作業者に対して、予め、被採血者の特定情報を報知する手段４が用意されており、上記採血作業者によって、上記特定情報の認識の基に、採血場所への、被採血者の呼び出しを行うようにシステムを構築している。」
（２ｃ）「【００１０】また、上述の
報知手段４として、採血場所に、バーコード読み取り機などの情報読み取り手段４Ａおよび表示手段４Ｂが用意されており、読み取り手段４Ａで、ラベルの読み取りを行い、その読み取り情報に基づく被採血者の特定情報を表示手段４Ｂで表示して、採血作業者に認識させるように構成されている
【００１１】なお、ここでは、
情報読み取り手段４Ａは、ラベルの読み取りを基に、ホストコンピュータ１からの当該被採血者に対する特定情報を取得して、表示手段４Ｂに表示するように構成されている。また、表示手段４Ｂには、テレビモニタ４１やデジタル電光表示器４２などの表示手段が採用されると良い
【００１２】また、情報読み取り手段４Ａで読み取られた情報に基づき、当該被採血者の呼び出し情報を、被採血者の待機場所にて報知する手段５を装備している。なお、報知手段５には、例えば、大型デジタル電光表示器が採用されるとよい。
【００１３】従って、このようなシステム構成では、受け付け端末機１Ａで採血を申し込んだ被採血者は、報知手段５で呼び出しが掛かるまで、上述の待機場所で待機している。一方、採血場所では、採血作業者が、提供された、ラベル貼着済みの採血管の、
ラベルを情報読み取り手段４Ａで読み取り、この情報に基づいて、ホストコンピュータ１側から、少なくとも、当該採血者の特定情報、例えば、採血に必要な依頼情報や、特別なコメントを読み出し、これを表示手段４Ｂに表示する
（２ｄ）「【００２１】しかして、ラベル貼着後の採血管は、上述の搬送システムによって、順次、採血場所に搬送され、採血場所には、
各採血作業者が情報読み取り手段４Ａによって読み取られたラベルの情報に従って、採血管のラベルに該当する被採血者の特定情報が、ホストコンピュータ１側から与えられ、表示手段４Ｂで表示される
【００２２】これにより、
採血作業者は、予め、採血すべき被採血者の特定情報、例えば、通常の採血依頼情報の他に、エイズ患者や肝炎患者であるなどの情報を得て、当該被採血者の採血に際して、これに対する必要な安全策を講じ、あるいは、注意を払うことになる
　
（３）刊行物３：特開平１１−６６２１３号公報
（３ａ）「【０００２】
【従来の技術】コンピュータの利用技術の拡大に伴い、医療機関においては作業の効率化や迅速化を目的とし、
紙のカルテに代えて、コンピュータを利用した電子カルテの導入が進められている
医師が入力した医療上の指示内容を、患者別、担当部門別、日付別等に分類記録、表示させる
（３ｂ）「【００１３】次に、図２に基づいて、前記電子カルテ装置Ａによる指示伝達方法について説明する。・・・まず、医師がクライアントコンピュータを始動させる（Ｓ１）。・・・
【００１４】
医師は
・・・指示を送る患者のアイコンをクリックすると、図５に示すように、患者別の指示入力画面１１及び、診療項目選択画面１２が表示される。前記診療項目選択画面１２から診療項目を選択し、指示入力画面１１に
指示内容をキーボード等によって入力する
（３ｃ）「【００１６】指示内容が入力された後は、図６に示す方法に従って、指示に対する処置が行なわれる。各部門の担当スタッフは、
サーバコンピュータにケーブルによって連結されたクライアントコンピュータを作動させ（Ｓ１０）・・・検査・・・アイコン画面を表示させる
（３ｄ）「【００２１】このように、医師は医療上の指示を、キーボードやマウス等の指示入力手段を用いてクライアントコンピュータに入力し、その内容はファイルに記録される。記録された指示は
患者別、担当スタッフ部門別等ファイルに分類、表示される。指示を受ける医療スタッフは、このファイルに表示された指示内容に従って医療行為を実施する
　
（４）刊行物４：特開平４−１５７４６号公報
（４ａ）「医師が各種オーダを発する局面については、医師の判断を支援するために、患者の処方履歴又は検査履歴を表示するディスプレイを有する診察室端末を設ける。
オーダ省力化のためには、患者の前回診察の際と同じ処方オーダを発するための特別に設定されたキーを診察室端末に設ける
　
３　対比・判断
　刊行物１の上記記載事項（特に、上記(1a)(1b)(1d)）から、刊行物１には、
「医師等が入力した被験者に関する情報に基づき、ラベルを印字し採血管に貼付する複数台の自動ラベル貼付装置と、採血指示書を印字する一つの指示書発行装置を作動させるための制御装置を備え、
　被験者に関する検査情報及び個人情報を印字したラベルを貼付した採血管と、採血管に対応する被験者に関する検査情報及び個人情報に加え、採血順番をバーコード及び数字で印字した採血指示書を、被験者毎に収容したトレイを移送する移送手段を備え、
　前記移送手段が、その移送経路の途中に、少なくとも一つの採血作業台と、トレイ受取台と、前記移送経路から前記トレイ受取台にトレイを取り出すトレイ取出手段と、前記トレイ受取台に対応した前記トレイ取出手段を作動させる作動スイッチとを備え、
　採血作業者が前記作動スイッチを操作した時のみ、対応するトレイ受取台のトレイ取出手段が作動して、移送経路からトレイ受取台にトレイを取り出すように構成した採血管搬送システム。」の発明（以下、「刊行物１発明」という。）が記載されていると認められる。
　
　そこで、本願発明と刊行物１発明とを比較する。
（ア）刊行物１発明の「被験者に関する検査情報及び個人情報を印字したラベルを貼付した採血管」、「その移送経路の途中に」備えられた「少なくとも一つの採血作業台」は、本願発明の「個々の採血患者に関する情報を印字したラベルを貼り付けた採血管」、「移送手段の移送経路中に設けられた少なくとも一つの採血場」にそれぞれ相当する。
（イ）刊行物１発明の「被験者に関する検査情報及び個人情報を印字したラベルを貼付した採血管と、採血管に対応する被験者に関する検査情報及び個人情報に加え、採血順番をバーコード及び数字で印字した採血指示書を被験者毎に収容した採血前トレイを移送する移送手段」と、本願発明の「個々の採血患者に関する情報を印字したラベルを貼り付けた採血管を患者毎に収容した採血前トレイを移送する移送手段」とは、「少なくとも個々の採血患者に関する情報を印字したラベルを貼り付けた採血管を患者毎に収容した採血前トレイを移送する移送手段」である点で共通する。
（ウ）刊行物１発明の「採血管に対応する被験者に関する検査情報及び個人情報に加え、採血順番をバーコード及び数字で印字した採血指示書」と、本願発明の「各採血場に設けられ、個々の採血患者に関する情報を少なくとも採血作業者に表示する表示装置」とは、各採血場で、個々の採血患者に関する情報を少なくとも採血作業者に示す手段である点で共通する。
（エ）刊行物１発明の「トレイ受取台に対応した前記トレイ取出手段を作動させる作動スイッチ」と、本願発明の「各採血場に設けられ、採血前トレイを呼び出す呼出スイッチ」とは、各採血場に設けられ、採血前トレイを呼び出し移送を開始させるトレイ呼出スイッチである点で共通する。
（オ）刊行物１発明の「医師等が入力した被験者に関する情報に基づき、ラベルを印字し採血管に貼付する複数台の自動ラベル貼付装置と、採血指示書を印字する一つの指示書発行装置を作動させるための制御装置」と、本願発明の「前記呼出スイッチの操作に応じて、前記移送手段に採血前トレイの移送を開始させると共に、その採血前トレイに対応する患者に関する情報を、呼出スイッチが押された採血場に設けられた前記表示装置に送信して、該表示装置に前記患者に関する情報を表示させる制御装置」とは、患者に関する情報が入力された制御装置である点で共通する。
（カ）刊行物１発明の「採血管搬送システム」は、その構成からみて、採血管を搬送するだけでなく採血作業の準備も行うものであるから、本願発明の「採血作業準備システム」に相当する。
　
　したがって、両者の間には、以下の一致点及び相違点がある。
（一致点）
　少なくとも個々の採血患者に関する情報を印字したラベルを貼り付けた採血管を患者毎に収容した採血前トレイを移送する移送手段と、
　移送手段の移送経路中に設けられた少なくとも一つの採血場と、
　各採血場で、個々の採血患者に関する情報を少なくとも採血作業者に示す手段と、
　各採血場に設けられ、採血前トレイを呼び出し移送を開始させるトレイ呼出スイッチと、
　患者に関する情報が入力された制御装置と、
　を有する採血作業準備システムである点。
  　
（相違点１）
　各採血場で個々の採血患者に関する情報を少なくとも採血作業者に示す手段と患者に関する情報が入力された制御装置が、本願発明では、各採血場に設けられた表示装置であり、トレイ呼出スイッチが押された採血場に設けられた表示装置に採血前トレイに対応する患者に関する情報を送信して、表示させる機能を有する制御装置であるのに対して、刊行物１発明では、採血前トレイに収容された採血指示書であり、患者に関する情報を表示した採血指示書を発行する装置を作動させる機能を有する制御装置である点。
　
（相違点２）
　トレイ呼出スイッチが、本願発明では、呼出スイッチの操作に応じて、制御装置により、採血前トレイに対応する患者に関する情報を、呼出スイッチが押された採血場に設けられた表示装置に送信して、表示装置に患者に関する情報を表示させる機能も併せて有するものであるのに対して、刊行物１発明では、採血作業者が操作した時のみ、対応するトレイ受取台のトレイ取出手段が作動して、移送経路からトレイ受取台にトレイを取り出すように構成した、トレイ取出手段の作動スイッチである点。
　
　そこで、上記各相違点について検討する。
（相違点１について）
　刊行物２（上記(2c)(2d)）には、採血管を準備し搬送するシステムであって、採血作業者が採血管に貼付されたラベルのバーコード等の情報を読み取り手段で読み取らせ、該当する被採血者の採血依頼情報、エイズ患者や肝炎患者であるなどの特定情報が、ホストコンピュータ側から表示手段に送られ、テレビモニタ等の表示装置に表示されることが記載され、さらに、特開平８−２６６５２０号公報（【請求項１】）にも、採血作業者に、被採血者がエイズ患者や肝炎患者であるなどの特定情報を報知する手段を備えた採血準備システムが記載されていることから、採血に際しては、被採血者の情報を予め知っておくことが要望されており、その情報を表示装置に表示させることは公知の事項である。
　そして、医師による診療や処置の場所とは、離れた場所で医師の指示により検査や投薬等が行われる病院において、紙カルテに代えて電子カルテとして医師が作成した情報を、コンピュータから検査室や薬局等の端末へ送信し、刊行物２に記載されたようなラベル等の紙に出力されたバーコード等を読み取らせることに依らず、端末操作で直接表示装置に表示させ、表示された医師の指示にしたがって検査や調剤を行うことは、例えば、刊行物３、特開平１１−１３４４０５号公報（【００３５】）、特開平９−１７１５２８号公報（【００４２】、特開平８−６３５２４号公報（【００１３】）に記載されるように、本願出願前の周知技術である。
　そうすると、被験者に関する検査情報、個人情報、採血順番を情報として保持した制御装置を備えた刊行物１発明において、採血に必要な情報を採血作業者に知らせるのに、制御装置により採血指示書を印刷させることに代えて、各採血作業台に制御装置の端末を設置し、予め設定したキー操作のような端末操作により、制御装置から採血に必要な情報の送信を受け表示装置に表示するようにすることは、当業者が容易に想到し得ることである。
　
（相違点２について）
　刊行物１発明は、採血作業者が作動スイッチを操作した時のみ、対応するトレイ受取台のトレイ取出手段が作動して、移送経路からトレイ受取台にトレイを取り出すように構成されたものであり、刊行物１（上記(1c)）には、複数の供給コンベアを上記のように動作するように制御することが記載されている。そして、移送機構の動作をコンピューターのような制御装置を用いて制御することは、本願出願前から行われている常套手段であるし、一緒に必要な指示について、複数のキー操作を一括して一つのキー操作で行えるように設定し、操作の簡便化を図ることは、例えば、刊行物４に記載されるように、本願出願前の常套手段である。そうすると、刊行物１発明において、制御装置で移送機構の制御も行うようにし、採血管と採血の指示内容は一緒に必要とされるものであるから、トレイ取出手段を作動させる作動スイッチを、採血に必要な情報の送信を受け表示させる端末のキー操作で一括して行えるように設定することは、当業者が適宜になし得ることである。
　
（本願発明の効果について）
　本願発明の呼出しスイッチを押すと、直ぐに被採血者の情報が表示され、採血前トレイが届く前に情報を確認できるという効果について検討すると、患者が検査室に入る前に、検査作業者がその患者の情報を知ることが可能であることは、刊行物３等の周知技術である電子カルテの情報を用いることにより当然生じる効果であり、採血前トレイが届く前に情報を知ることができることは、上記のとおり、刊行物１発明において、電子カルテの情報を印刷物として出力して確認するのではなく直接利用するという周知の構成を採用し、複数のキー操作を一括して一つのキー操作で行えるように設定しするという常套手段を採用して、採血前トレイの作動を、採血に必要な情報の送信を受け表示させる端末のキー操作で一括して行えるように構成することにより、必然的に生じる効果であり、予想外の格別顕著なものとはいえいない。
　
４　むすび
　以上のとおり、本願請求項１に係る発明は、刊行物１ないし３に記載された発明及び周知技術に基づいて当業者が容易に発明をすることができたものであるから、特許法第２９条第２項の規定により特許を受けることができない。
　したがって、その他の請求項に係る発明についての判断を示すまでもなく、本願は拒絶すべきものである。
　よって、結論のとおり審決する。